(57)【特許請求の範囲】
【請求項１】
尿が流入する流入口が貫設された上壁部と、
この流入口に連通し、前記尿が下方に流れる第１下降流路と、
この第１下降流路の下流端部に連通し、前記尿が上方に流れる上昇流路と、
この上昇流路の下流端部に連通し、前記尿が下方に流れる第２下降流路と、
この第２下降流路の下流端部に設けられた流出口とを備えた小便器用排水トラップであって、
前記上昇流路は下流端部における流路面積が上流端部における流路面積よりも小さく、
前記上壁部から下方に延びる隔壁部、この隔壁部の下端部から外側に向けて延びた連結部、この連結部の外周縁部から上方に延びる折返し部を有し、 前記流入口から流入した尿が、前記隔壁部、前記連結部、及び前記折返し部に囲まれた領域で下降から上昇に転じる対流を生じつつ、前記折返し部の上端部を乗り越えて前記第１下降流路を下方に流れることを特徴とする小便器用排水トラップ。
【請求項２】
前記第２下降流路は上流端部における流路面積が前記流出口における流路面積よりも大きいことを特徴とする請求項１記載の小便器用排水トラップ。
【請求項３】
前記上昇流路の下流端部における流路面積と、前記第２下降流路の上流端部における流路面積とを合わせた面積は、前記上昇流路の上流端部における流路面積と、前記流出口における流路面積とを合わせた面積よりも小さいことを特徴とする請求項１又は２記載の小便器用排水トラップ。
【請求項４】
前記第２下降流路は垂直方向に延びており、前記上昇流路は、水平断面視において、この第２下降流路を中央に配置し、この第２下降流路の周囲を覆うように形成されていることを特徴とする請求項１乃至３のいずれか１項記載の小便器用排水トラップ。
【請求項５】
前記第２下降流路は垂直方向に延びており、前記上昇流路は、水平断面視において、この第２下降流路を内側の一方向に偏った位置に配置していることを特徴とする請求項１乃至３のいずれか１項記載の小便器用排水トラップ。
【請求項６】
請求項１乃至５のいずれか１項記載の小便器用排水トラップを便鉢部の下端部に組み込んでいることを特徴とする非水洗式小便器。
【発明の詳細な説明】
【技術分野】
【０００１】
本発明は小便器用排水トラップ及び非水洗式小便器に関する。
【背景技術】
【０００２】
特許文献１の第１図には従来の排水トラップが開示されている。この排水トラップは非水洗式小便器の便鉢部の下端部に組み込まれている。また、この排水トラップは、流入口、第１下降流路、上昇流路、第２下降流路、及び流出口を備えている。流入口から液体である尿が排水トラップ内に流入する。第１下降流路は、流入口に連通しており、排水トラップ内に流入した尿を下方に流す。上昇流路は、第１下降流路の下流端部に連通しており、第１下降流路から流れ込んだ尿を上方に流す。第２下降流路は、上昇流路の下流端部に連通しており、上昇流路から流れ込んだ尿を下方に流す。流出口は第２下降流路の下流端部に設けられており、第２下降流路を流下した尿を排水トラップから排出する。この排水トラップでは上昇流路における流路面積が上流端部から下流端部まで略一定に形成されている。この排水トラップは第１下降流路内に尿よりも比重の軽いシール液を充填している。このため、この排水トラップは、貯留した尿によって下流側に連通した排水管内からの臭気等の逆流を防止するとともに、シール液によって排水トラップ内に滞留する尿の臭気が流入口から便鉢部内に発散することを防止することができる。
【先行技術文献】
【特許文献】
【０００３】
【特許文献１】特許第３５１５７８５号公報
【発明の概要】
【発明が解決しようとする課題】
【０００４】
しかし、特許文献１の排水トラップは、上昇流路内をほぼ一様な流速で液体である尿が上昇する。このため、上昇流路の下流端部であり、第２下降流路の上流端部を流れる液体の流速が速くない。このため、上昇流路の下流端部から第２下降流路の上流端部にかけて異物が引っ掛かるように付着し易くなり、この部分の詰まりの原因になっている。
【０００５】
本発明は、上記従来の実情に鑑みてなされたものであって、詰まり難く、良好に使用することができる小便器用排水トラップ及びこの小便器用排水トラップを組み込んでいる非水洗式小便器を提供することを解決すべき課題としている。
【課題を解決するための手段】
【０００６】
本発明の小便器用排水トラップは、尿が流入する流入口が貫設された上壁部と、
この流入口に連通し、前記尿が下方に流れる第１下降流路と、
この第１下降流路の下流端部に連通し、前記尿が上方に流れる上昇流路と、
この上昇流路の下流端部に連通し、前記尿が下方に流れる第２下降流路と、
この第２下降流路の下流端部に設けられた流出口とを備えた小便器用排水トラップであって、
前記上昇流路は下流端部における流路面積が上流端部における流路面積よりも小さく、
前記上壁部から下方に延びる隔壁部、この隔壁部の下端部から外側に向けて延びた連結部、この連結部の外周縁部から上方に延びる折返し部を有し、 前記流入口から流入した尿が、前記隔壁部、前記連結部、及び前記折返し部に囲まれた領域で下降から上昇に転じる対流を生じつつ、前記折返し部の上端部を乗り越えて前記第１下降流路を下方に流れることを特徴とする。
【０００７】
この小便器用排水トラップは、上昇流路の下流端部における流路面積が上流端部における流路面積よりも小さいため、上昇流路の下流端部において、流れる尿の流速を速くすることができる。このため、第２下降流路に流れ込む尿の勢いを強くすることができるため、上昇流路の下流端部から第２下降流路の上流端部にかけて異物が引っ掛かり難く、付着することを抑制することができる。また、この小便器用排水トラップは、上昇流路の全流域において流路面積を小さくしていない。特に、上昇流路の上流端部付近における流路面積を小さくしていないため、この部分で異物が堆積しても流路面積を確保することができ、詰まりを抑制することができる。
【０００８】
したがって、本発明の小便器用排水トラップは、詰まり難く、良好に使用することができる。
【０００９】
前記第２下降流路は上流端部における流路面積が前記流出口における流路面積よりも大きくし得る。この場合、第２下降流路の上流端部における流路面積を大きくすることによって、この部分に異物が堆積しても、流路面積を確保することができるため、詰まり難くすることができる。
【００１０】
前記上昇流路の下流端部における流路面積と、前記第２下降流路の上流端部における流路面積とを合わせた面積は、前記上昇流路の上流端部における流路面積と、前記流出口における流路面積とを合わせた面積よりも小さくし得る。この場合、上昇流路の上流端部における流路面積を確保することができる。このため、上昇流路の上流端部において、異物が堆積しても、流路面積を確保することができ、詰まり難くすることができる。
【００１１】
前記第２下降流路は垂直方向に延びており、前記上昇流路は、水平断面視において、この第２下降流路を中央に配置し、この第２下降流路の周囲を覆うように形成され得る。この場合、第２下降流路内には上流端部の周囲全体から尿が流れ込む。このため、上昇流路の一部が異物の堆積によって閉塞し、第２下降流路の上流端部の一部から尿が流れ込まない状況になっても、他の部分から第２下降流路内に尿が流れ込むことができるため、小便器用排水トラップから尿を確実に排出することができる。
【００１２】
前記第２下降流路は垂直方向に延びており、前記上昇流路は、水平断面視において、この第２下降流路を内側の一方向に偏った位置に配置し得る。この場合、上昇流路の水平方向の幅を広くすることができる。このため、上昇流路の壁面に異物が堆積しても、流路面積を確保することができるため、詰まり難くすることができる。
【００１３】
本発明の非水洗式小便器は、前記小便器用排水トラップを便鉢部の下端部に組み込んでいることを特徴とする。
【００１４】
この非水洗式小便器は、上述したように、小便器用排水トラップの内部で異物が付着し難い。このため、小便器用排水トラップ内で異物が付着すると、その部分で尿石が堆積し易くなるが、異物が付着し難くすることによって尿石の堆積を抑制することができる。よって、小便器用排水トラップを詰まり難くすることができる。また、この小便器用排水トラップは、尿石が堆積しても、流路面積を確保できるため、詰まり難く、尿を確実に排出することができる。このため、非水洗式小便器を良好に使用することができる。
【図面の簡単な説明】
【００１５】
【図１】実施例１の小便器用排水トラップを組み込んでいる非水洗式小便器の一部断面図である。
【図２】実施例１の小便器用排水トラップの非水洗式小便器への組み込み状態を示す断面図である。
【図３】図２の矢視Ａ−Ａにおける実施例１の小便器用排水トラップの断面図である。
【図４】実施例２の小便器用排水トラップの断面図である。
【図５】図４の矢視Ａ−Ａにおける断面図である。
【図６】実施例３の小便器用排水トラップの断面図である。
【図７】図６の矢視Ａ−Ａにおける断面図である。
【発明を実施するための形態】
【００１６】
本発明の小便器用排水トラップを非水洗式小便器に組み込んで具体化した実施例１〜３について、図面を参照しつつ説明する。
【００１７】
＜実施例１＞
実施例１の小便器用排水トラップ（以下、「排水トラップ１０」という。）は、図１及び図２に示すように、カートリッジ形態に形成され、非水洗式小便器１の便鉢部２の下端部に着脱自在に組み込まれている。非水洗式小便器１は、壁掛け式であり、トイレ室の壁面Ｗに係止され、固定されている。
【００１８】
非水洗式小便器１は便鉢部２の下端部に垂直方向に貫通した開口部３を有している。また、非水洗式小便器１は、開口部３に取り付けられ、底部を有し、上方に向けて開口した略円筒形状の収納容器４を有している。収納容器４は排水トラップ１０を収納することができる。
【００１９】
収納容器４は上端部に係止部材５を連結している。係止部材５は、収納容器４の上端開口から上方に延びた円筒形状の連結部５Ａと、連結部５Ａの上端部から連続して外側に拡がるリング形状の鍔部５Ｂとを有している。収納容器４は、係止部材５の外側面にパッキン６が外嵌され、開口部３に上方から挿入されている。係止部材５の鍔部５Ｂが開口部３の周縁部の上面に係止している。
【００２０】
収納容器４は外側面の上部に螺子部が形成されている。この螺子部にナット部材７がねじ込まれている。これにより、係止部材５の鍔部５Ｂと、ナット部材７とにより開口部３の周縁部を挟持し、収納容器４は開口部３に取り付けられている。収納容器４は下端部から後方（図１における左方向）に延びる連結管部８を有している。連結管部８は壁面Ｗに引き出された排水管９に連結されている。
【００２１】
収納容器４は内側面の上下方向の中間部に複数の係止凹部４Ａを形成している。係止凹部４Ａは、後述する排水トラップ１０の本体部材１７の側壁部１７Ａに設けられた係止凸部１７Ｄを係止することができる。つまり、収納容器４内に挿入した排水トラップ１０を軸周りに所定の角度だけ回転することにより、係止凸部１７Ｄを係止凹部４Ａに係止することができる。このように、排水トラップ１０は収納容器４に対して、着脱自在に組み込まれている。このため、排水トラップ１０は容易に交換することができる。
【００２２】
カートリッジ形態に形成された排水トラップ１０は、図２及び図３に示すように、蓋部材１６及び本体部材１７から形成されている。また、排水トラップ１０は、流入口１１、第１下降流路１２、上昇流路１３、第２下降流路１４、及び流出口１５を備えている。
【００２３】
蓋部材１６は、排水トラップ１０の上壁部を構成し、垂直方向に貫設した流入口１１を有している。蓋部材１６は外径が円形状である。蓋部材１６は、収納容器４の係止部材５によって形成された開口、すなわち、便鉢部２の下端部に設けられた開口に嵌まり込んでいる。蓋部材１６は外周端面に環状凹部が形成されており、この環状凹部にパッキンＰが嵌め込まれている。このため、係止部材５によって形成された開口の内側面と蓋部材１６の外周端面とは水密状に接合されている。よって、非水洗式小便器１の便鉢部２の表面に沿って流下した尿は、蓋部材１６の上面に流れ込む。蓋部材１６の上面に流れ込んだ尿は流入口１１から排水トラップ１０内に流入する。
【００２４】
蓋部材１６は、外周部より内側に設けられ、下方に延びる隔壁部１６Ａを有している。隔壁部１６Ａは蓋部材１６と同軸上の円筒形状に形成されている。隔壁部１６Ａは上端部が蓋部材１６の中央部によって閉鎖されており、下端部が、後述する本体部材１７の底壁部１７Ｂとの間に間隔を有し、開口している。流入口１１は隔壁部１６Ａの外側面に沿って複数に分割された円弧形状に形成されている。
【００２５】
蓋部材１６は隔壁部１６Ａの下端部から外側に向けて延びたリング形状の連結部１６Ｂを有している。また、蓋部材１６は連結部１６Ｂの外周縁部から上方に延びた円筒形状の折返し部１６Ｃを有している。折返し部１６Ｃは隔壁部１６Ａとの間に一定の間隔を有している。また、折返し部１６Ｃは、隔壁部１６Ａと、後述する本体部材１７の側壁部１７Ａとの間の略中央位置に設けられている。つまり、隔壁部１６Ａ、折返し部１６Ｃ、及び本体部材１７の側壁部１７Ａは同軸上に配置されている。また、折返し部１６Ｃの上端部は、後述するシール層Ｓの下面よりも下方であり、かつ連結部１６Ｂの外周縁部とシール層Ｓの上面との間の中央高さよりも上方に位置するように形成されている。
【００２６】
本体部材１７は、側壁部１７Ａ、側壁部１７Ａの下端部に連続して、中央部に向けて下降する傾斜面からなる底壁部１７Ｂ、及び底壁部１７Ｂの中央部から垂直方向に立ち上がった流出管部１７Ｃを有している。側壁部１７Ａは、円筒形状であり、上端部が蓋部材１６の外周縁部の下部に隙間なく接着されている。流出管部１７Ｃは下端部が流出口１５を形成している。流出管部１７Ｃは蓋部材１６の隔壁部１６Ａの下端開口から隔壁部１６Ａ内に挿入されている。流出管部１７Ｃは、筒状に形成され、上部（隔壁部１６Ａ内に挿入されている部分）が上方に向かうに従って外側に拡がっている。流出管部１７Ｃは、水平断面視において、隔壁部１６Ａの中央に配置されている。また、流出管部１７Ｃの上端部は折返し部１６Ｃの上端部よりも上方に位置している。
【００２７】
本体部材１７の側壁部１７Ａは外側面の中間部に複数の係止凸部１７Ｄを形成している。上述したように、係止凸部１７Ｄが収納容器４の内側面に形成された係止凹部４Ａに係止することにより、カートリッジ形態の排水トラップ１０は収納容器４内に着脱自在に組み込まれている。
【００２８】
排水トラップ１０は本体部材１７の流出管部１７Ｃより外側の内部に尿を滞留する水封部を形成している。水封部は、蓋部材１６の隔壁部１６Ａによって、隔壁部１６Ａの内側と外側とに区画され、かつ連結部１６Ｂより下方で連通している。排水トラップ１０は、隔壁部１６Ａより外側の水封部内に非水溶性であり、尿よりも比重が軽いシール液を注入している。このため、隔壁部１６Ａより外側の水封部内では、貯留された尿よりも上方にシール層Ｓが形成されている。シール層Ｓは水封部内に滞留した尿から生じる臭気が流入口１１から便鉢部２内に発散することを防止している。
【００２９】
第１下降流路１２は、本体部材１７の側壁部１７Ａと、蓋部材１６の折返し部１６Ｃとの間に形成されている。上昇流路１３は、蓋部材１６の隔壁部１６Ａと、本体部材１７の流出管部１７Ｃとの間に形成されている。上昇流路１３は、流出管部１７Ｃの上部が上方に向かうに従って外側に広がっているため、下流端部１３Ｂにおける流路面積が上流端部１３Ａにおける流路面積よりも小さくなっている。
【００３０】
第２下降流路１４は、本体部材１７の流出管部１７Ｃの内部に形成され、垂直方向に延びている。第２下降流路１４は、流出管部１７Ｃの上部が上方に向かうに従って外側に広がっているため、上流端部１４Ａにおける流路面積が流出口１５における流路面積よりも大きく形成されている。上昇流路１３は、水平断面視において、第２下降流路１４を中央に配置し、第２下降流路１４の周囲を覆うように形成されている。
【００３１】
このような構成を有する非水洗式小便器１では、使用者が便鉢部２に向かって小便をすると、尿が便鉢部２の表面に沿って流下し、蓋部材１６の上面に流れ込む。蓋部材１６の上面に流れ込んだ尿は流入口１１から排水トラップ１０内に流入する。すると、尿はシール層Ｓを突き抜けて上方から隔壁部１６Ａと折返し部１６Ｃとの間に流入する。隔壁部１６Ａ、連結部１６Ｂ、及び折返し部１６Ｃに囲まれた領域において、尿は下降から上昇に転じる対流を生じつつ、折返し部１６Ｃの上端部を乗り越えて折返し部１６Ｃより外側に流れる。折返し部１６Ｃの上端部を乗り越えた尿は第１下降流路１２を下方に流れる。このように、第１下降流路１２は流入口１１に連通している。
【００３２】
第１下降流路１２を下方に流れ、本体部材１７の底壁部１７Ｂと、蓋部材１６の連結部１６Ｂとの間を流れた尿は、上昇流路１３に流入し、上方に流れる。このように、上昇流路１３は第１下降流路１２の下流端部１２Ｂに連通している。
【００３３】
上昇流路１３は、下流端部１３Ｂにおける流路面積が上流端部１３Ａにおける流路面積よりも小さくなっているため、下流端部１３Ｂにおいて、流れる尿の流速を速くすることができる。このため、第２下降流路１４に流れ込む尿の勢いを強くすることができるため、流出管部１７Ｃの上端部、つまり、上昇流路１３の下流端部１３Ｂから第２下降流路１４の上流端部１４Ａにかけて、異物が引っ掛かって付着することを抑制することができる。このため、異物が付着することに起因して尿石等が堆積することを抑制することができる。また、この排水トラップ１０は、上昇流路１３の全流域において流路面積を小さくしていない。特に、上昇流路１３の上流端部１３Ａ付近における流路面積を小さくしていないため、尿石等が堆積しても流路面積を確保することができ、詰まりを抑制することができる。
【００３４】
したがって、実施例１の非水洗式小便器１に組み込まれた排水トラップ１０は、詰まり難く、良好に使用することができる。つまり、非水洗式小便器１を良好に使用することができる。
【００３５】
上昇流路１３を上方に流れた尿は、流出管部１７Ｃの上端を乗り越えて、第２下降流路１４内に流入し、下方に流れる。この際、第２下降流路１４は上流端部１４Ａの周囲全体から尿が流れ込む。このため、上昇流路１３の一部が尿石等の堆積によって閉塞し、第２下降流路１４の上流端部１４Ａの一部から尿が流れ込まない状況になっても、他の部分から第２下降流路１４内に尿が流れ込むことができる。よって、この排水トラップ１０は尿を確実に排出することができる。
【００３６】
また、第２下降流路１４は上流端部１４Ａにおける流路面積が流出口１５における流路面積よりも大きい。このように、第２下降流路１４の上流端部１４Ａにおける流路面積を大きくすることによって、この部分に尿石等が堆積しても、第２下降流路１４の流路面積を確保することができるため、詰まり難くすることができる。
【００３７】
下降流路１４を下方に流れた尿は、流出口１５から収納容器４内に流出し、収納容器４の連結管部８を介して壁面Ｗに引き出された排水管９に排出される。
【００３８】
＜実施例２＞
実施例２の小便器用排水トラップ（以下、「排水トラップ３０」という。）は、図４及び図５に示すように、カートリッジ形態に形成されている。この排水トラップ３０も、実施例１と同様、非水洗式小便器１の便鉢部２の下端部に着脱自在に組み込むことができる。この排水トラップ３０の非水洗式小便器１への組み込み構造は実施例１と同様であり、詳細な説明を省略する。
【００３９】
排水トラップ３０は、蓋部材３６及び本体部材３７から形成されている。また、排水トラップ３０は、流入口３１、第１下降流路３２、上昇流路３３、第２下降流路３４、及び流出口３５を備えている。
【００４０】
蓋部材３６は、排水トラップ３０の上壁部を構成し、垂直方向に貫設した流入口３１を有している。蓋部材３６は外径が円形状である。蓋部材３６は外周端面に環状凹部が形成されており、この環状凹部にパッキンＰが嵌め込まれている。蓋部材３６は、実施例１と同様、外周端面を収納容器４の係止部材５によって形成された開口、すなわち、便鉢部２の下端部に設けられた開口の内側面に水密状に接合することができる。このため、非水洗式小便器１の便鉢部２の表面に沿って流下する尿は、蓋部材３６の上面に流れ込み、流入口３１から排水トラップ３０内に流入することになる。
【００４１】
蓋部材３６は、外周部より内側に設けられ、下方に延びる隔壁部３６Ａを有している。隔壁部３６Ａは、外側面に沿って形成された流入口３１より下方において、下方に向かうに従って外側に広がっている。また、隔壁部３６Ａは蓋部材３６と同軸上の筒状に形成されている。隔壁部３６Ａは上端部が蓋部材３６の中央部によって閉鎖されており、下端部が、後述する本体部材３７の底壁部３７Ｂとの間に間隔を有し、開口している。流入口３１は隔壁部３６Ａの外側面に沿って複数に分割された円弧形状に形成されている。
【００４２】
蓋部材３６は隔壁部３６Ａの下端部から外側に向けて延びたリング形状の連結部３６Ｂを有している。また、蓋部材３６は連結部３６Ｂの外周縁部から上方に延びた円筒形状の折返し部３６Ｃを有している。隔壁部３６Ａ、折返し部３６Ｃ、及び本体部材３７の側壁部３７Ａは同軸上に配置されている。また、折返し部３６Ｃは、隔壁部３６Ａより外側の水封部内にシール層Ｓを形成した際、上端部がその下面よりも下方であり、かつ連結部３６Ｂの外周縁部とシール層Ｓの上面との間の中央高さよりも上方に位置するように形成されている。
【００４３】
本体部材３７は、側壁部３７Ａ、側壁部３７Ａの下端部に連続して、中央部に向けて下降する傾斜面からなる底壁部３７Ｂ、及び底壁部３７Ｂの中央部から垂直方向に立ち上がった流出管部３７Ｃを有している。側壁部３７Ａは、円筒形状であり、上端部が蓋部材３６の外周縁部の下部に隙間なく接着されている。流出管部３７Ｃは、円筒形状であり、下端部が流出口３５を形成している。流出管部３７Ｃは蓋部材３６の隔壁部３６Ａの下端開口から隔壁部３６Ａ内に挿入されている。流出管部３７Ｃは、水平断面視において、隔壁部３６Ａ内の中央に配置されている。また、流出管部３７Ｃの上端部は折返し部３６Ｃの上端部よりも上方に位置している。
【００４４】
本体部材３７の側壁部３７Ａは外側面の中間部に複数の係止凸部３７Ｄを形成している。係止凸部３７Ｄが、実施例１と同様、収納容器４の内側面に形成された係止凹部４Ａに係止することにより、カートリッジ形態の排水トラップ３０は収納容器４内に着脱自在に組み込むことができる。
【００４５】
排水トラップ３０は本体部材３７の流出管部３７Ｃより外側の内部に尿を滞留する水封部を形成している。水封部は、蓋部材３６の隔壁部３６Ａによって、隔壁部３６Ａの内側と外側とに区画され、かつ連結部３６Ｂより下方で連通している。排水トラップ３０は、隔壁部３６Ａより外側の水封部内に非水溶性であり、尿よりも比重が軽いシール液を注入する。これにより、隔壁部３６Ａより外側の水封部内では、貯留される尿よりも上方にシール層Ｓが形成される。シール層Ｓは水封部内に滞留する尿から生じる臭気が流入口３１から便鉢部２内に発散することを防止することができる。
【００４６】
第１下降流路３２は、本体部材３７の側壁部３７Ａと、蓋部材３６の折返し部３６Ｃとの間に形成されている。上昇流路３３は、蓋部材３６の隔壁部３６Ａと、本体部材３７の流出管部３７Ｃとの間に形成されている。上昇流路３３は、流入口３１より下方において、隔壁部３６Ａが下方に向かうに従って外側に広がっているため、下流端部３３Ｂにおける流路面積が上流端部３３Ａにおける流路面積よりも小さくなっている。
【００４７】
第２下降流路３４は、本体部材３７の流出管部３７Ｃの内部に形成され、垂直方向に延びている。上昇流路３３は、水平断面視において、第２下降流路３４を中央に配置し、第２下降流路３４の周囲を覆うように形成されている。
【００４８】
このような構成を有する排水トラップ３０は、実施例１と同様、非水洗式小便器１の便鉢部２の下端部に組み込むことができる。この排水トラップ３０を組み込んだ非水洗式小便器１では、使用者が便鉢部２に向かって小便をすると、尿が便鉢部２の表面に沿って流下し、蓋部材３６の上面に流れ込む。蓋部材３６の上面に流れ込んだ尿は流入口３１から排水トラップ３０内に流入する。すると、尿はシール層Ｓを突き抜けて上方から隔壁部３６Ａと折返し部３６Ｃとの間に流入する。隔壁部３６Ａ、連結部３６Ｂ、及び折返し部３６Ｃに囲まれた領域において、尿は下降から上昇に転じる対流を生じつつ、折返し部３６Ｃの上端部を乗り越えて折返し部３６Ｃより外側に流れる。折返し部３６Ｃの上端部を乗り越えた尿は第１下降流路３２を下方に流れる。このように、第１下降流路３２は流入口３１に連通している。
【００４９】
第１下降流路３２を下方に流れ、本体部材３７の底壁部３７Ｂと、蓋部材３６の連結部３６Ｂとの間を流れた尿は、上昇流路３３に流入し、上方に流れる。このように、上昇流路３３は第１下降流路３２の下流端部３２Ｂに連通している。
【００５０】
上昇流路３３は、下流端部３３Ｂにおける流路面積が上流端部３３Ａにおける流路面積よりも小さくなっているため、下流端部３３Ｂにおいて、流れる尿の流速を速くすることができる。このため、第２下降流路３４に流れ込む尿の勢いを強くすることができるため、流出管部３７Ｃの上端部、つまり、上昇流路３３の下流端部３３Ｂから第２下降流路３４の上流端部３４Ａにかけて、異物が引っ掛かって付着することを抑制することができる。このため、異物が付着することに起因して尿石等が堆積することを抑制することができる。また、この排水トラップ３０は、上昇流路３３の全流域において流路面積を小さくしていない。特に、上昇流路３３の上流端部３３Ａ付近における流路面積を小さくしていないため、尿石等が堆積しても流路面積を確保することができ、詰まりを抑制することができる。
【００５１】
したがって、実施例２の排水トラップ３０も、詰まり難く、良好に使用することができる。つまり、この排水トラップ３０を組み込んだ非水洗式小便器１も良好に使用することができる。
【００５２】
排水トラップ３０は、上昇流路３３の下流端部３３Ｂにおける流路面積と、第２下降流路３４の上流端部３４Ａにおける流路面積とを合わせた面積は、上昇流路３３の上流端部３３Ａにおける流路面積と、流出口３５における流路面積とを合わせた面積よりも小さい。このようにすることで、上昇流路３３の上流端部３３Ａにおける流路面積を確保することができる。このため、上昇流路３３の上流端部３３Ａにおいて、尿石等が堆積しても、流路面積を確保することができ、詰まり難くすることができる。
【００５３】
上昇流路３３を上方に流れた尿は、流出管部３７Ｃの上端を乗り越えて、第２下降流路３４内に流入し、下方に流れる。この際、第２下降流路３４は上流端部３４Ａの周囲全体から尿が流れ込む。このため、上昇流路３３の一部が尿石等の堆積によって閉塞し、第２下降流路３４の上流端部３４Ａの一部から尿が流れ込まない状況になっても、他の部分から第２下降流路３４内に尿が流れ込むことができる。よって、この排水トラップ３０も尿を確実に排出することができる。
【００５４】
第２下降流路３４を下方に流れた尿は、実施例１と同様、流出口３５から収納容器４内に流出し、収納容器４の連結管部８を介して壁面Ｗに引き出された排水管９に排出される。
【００５５】
＜実施例３＞
実施例３の小便器用排水トラップ（以下、「排水トラップ５０」という。）は、図６及び図７に示すように、カートリッジ形態に形成されている。この排水トラップ５０も、実施例１と同様、非水洗式小便器１の便鉢部２の下端部に着脱自在に組み込むことができる。この排水トラップ５０は、本体部材５７の構成が実施例１と相違する。他の構成は、実施例１と同様であり、同一の構成は同一の符号を付し、詳細な説明を省略する。
【００５６】
排水トラップ５０は、蓋部材１６及び本体部材５７から形成されている。また、排水トラップ５０は、流入口１１、第１下降流路５２、上昇流路５３、第２下降流路５４、及び流出口５５を備えている。
【００５７】
本体部材５７は、側壁部５７Ａ、側壁部５７Ａの下端部に連続して、中央部に向けて下降する傾斜面からなる底壁部５７Ｂ、及び底壁部５７Ｂから垂直方向に立ち上がった流出管部５７Ｃを有している。側壁部５７Ａは、円筒形状であり、上端部が蓋部材１６の外周縁部の下部に隙間なく接着されている。
【００５８】
流出管部５７Ｃは略半円筒形状に形成されている。流出管部５７Ｃは蓋部材１６の隔壁部１６Ａの下端開口から隔壁部１６Ａ内に挿入されている。流出管部５７Ｃは円弧形状の外側面を隔壁部１６Ａの内側面に接するようにして配置されている。つまり、流出管部５７Ｃは、水平断面視において、隔壁部１６Ａ内の一方向に偏った位置に配置されている。また、流出管部５７Ｃは、上部（隔壁部１６Ａ内に挿入されている部分）が上方に向かうに従って流路面積を大きくするように、平面形状の外側面を傾斜させている。流出管部５７Ｃの上端部は折返し部１６Ｃの上端部よりも上方に位置している。流出管部５７Ｃは下端部が流出口５５を形成している。
【００５９】
本体部材５７の側壁部５７Ａは外側面の中間部に複数の係止凸部５７Ｄを形成している。係止凸部５７Ｄが、実施例１と同様、収納容器４の内側面に形成された係止凹部４Ａに係止することにより、カートリッジ形態の排水トラップ５０は収納容器４内に着脱自在に組み込むことができる。
【００６０】
排水トラップ５０は本体部材５７の流出管部５７Ｃより外側の内部に尿を滞留する水封部を形成している。水封部は、蓋部材１６の隔壁部１６Ａによって、隔壁部１６Ａの内側と外側とに区画され、かつ連結部１６Ｂより下方で連通している。排水トラップ５０は、隔壁部１６Ａより外側の水封部内に非水溶性であり、尿よりも比重が軽いシール液を注入する。これにより、隔壁部１６Ａより外側の水封部内では、貯留される尿よりも上方にシール層Ｓが形成される。シール層Ｓは水封部内に滞留する尿から生じる臭気が流入口１１から便鉢部２内に発散することを防止することができる。
【００６１】
第１下降流路５２は、本体部材５７の側壁部５７Ａと、蓋部材１６の折返し部１６Ｃとの間に形成されている。上昇流路５３は、蓋部材１６の隔壁部１６Ａと、本体部材５７の流出管部５７Ｃとの間に形成されている。上昇流路５３は、流出管部５７Ｃの上部が、上方に向かうに従って流路面積を大きくするように平面形状の外側面を傾斜させているため、下流端部５３Ｂにおける流路面積が上流端部５３Ａにおける流路面積よりも小さくなっている。
【００６２】
第２下降流路５４は、本体部材５７の流出管部５７Ｃの内部に形成され、垂直方向に延びている。第２下降流路５４は、流出管部５７Ｃの上部が上方に向かうに従って流路面積を大きくするように平面形状の外側面を傾斜させているため、上流端部５４Ａにおける流路面積が流出口５５における流路面積よりも大きく形成されている。上昇流路５３は、水平断面視において、第２下降流路１４を内側の一方向に偏った位置に配置している。
【００６３】
このような構成を有する排水トラップ５０は、実施例１と同様、非水洗式小便器１の便鉢部２の下端部に組み込むことができる。この排水トラップ５０を組み込んだ非水洗式小便器１では、使用者が便鉢部２に向かって小便をすると、尿が便鉢部２の表面に沿って流下し、蓋部材１６の上面に流れ込む。蓋部材１６の上面に流れ込んだ尿は流入口１１から排水トラップ５０内に流入する。すると、尿はシール層Ｓを突き抜けて上方から隔壁部１６Ａと折返し部１６Ｃとの間に流入する。隔壁部１６Ａ、連結部１６Ｂ、及び折返し部１６Ｃに囲まれた領域において、尿は下降から上昇に転じる対流を生じつつ、折返し部１６Ｃの上端部を乗り越えて折返し部１６Ｃより外側に流れる。折返し部１６Ｃの上端部を乗り越えた尿は第１下降流路５２を下方に流れる。このように、第１下降流路５２は流入口１１に連通している。
【００６４】
第１下降流路５２を下方に流れ、本体部材５７の底壁部５７Ｂと、蓋部材１６の連結部１６Ｂとの間を流れた尿は、上昇流路５３に流入し、上方に流れる。このように、上昇流路５３は第１下降流路５２の下流端部５２Ｂに連通している。
【００６５】
上昇流路５３は、下流端部５３Ｂにおける流路面積が上流端部５３Ａにおける流路面積よりも小さくなっているため、下流端部５３Ｂにおいて、流れる尿の流速を速くすることができる。このため、第２下降流路５４に流れ込む尿の勢いを強くすることができるため、流出管部５７Ｃの上端部、つまり、上昇流路５３の下流端部５３Ｂから第２下降流路５４の上流端部５４Ａにかけて、異物が引っ掛かって付着することを抑制することができる。このため、異物が付着することに起因して尿石等が堆積することを抑制することができる。また、この排水トラップ５０は、上昇流路５３の全流域において流路面積を小さくしていない。特に、上昇流路５３の上流端部５３Ａ付近における流路面積を小さくしていないため、尿石等が堆積しても流路面積を確保することができ、詰まりを抑制することができる。さらに、上昇流路５３は、水平断面視において、第２下降流路５４を内側の一方向に偏った位置に配置しているため、水平方向の幅が広い。このため、上昇流路５３の壁面に尿石等が堆積しても、流路面積を確保することができ、詰まり難くすることができる。
【００６６】
したがって、実施例３の排水トラップ５０も、詰まり難く、良好に使用することができる。つまり、この排水トラップ５０を組み込んだ非水洗式小便器１も良好に使用することができる。
【００６７】
上昇流路５３を上方に流れた尿は、流出管部５７Ｃの上端を乗り越えて、第２下降流路５４内に流入し、下方に流れる。第２下降流路５４は上流端部５４Ａにおける流路面積が流出口５５における流路面積よりも大きい。このように、第２下降流路５４の上流端部５４Ａにおける流路面積を大きくすることによって、この部分に尿石等が堆積しても、第２下降流路５４の流路面積を確保することができるため、詰まり難くすることができる。
【００６８】
下降流路５４を下方に流れた尿は、流出口５５から収納容器４内に流出し、収納容器４の連結管部８を介して壁面Ｗに引き出された排水管９に排出される。
【００６９】
本発明は上記記述及び図面によって説明した実施例１〜３に限定されるものではなく、例えば次のような実施例も本発明の技術的範囲に含まれる。
（１）実施例１〜３では、上昇流路は、上流側から下流側に向けて流路面積を徐々に小さくしたが、段階的に小さくしてもよい。また、上昇流路の中間部で流路面積が大きくなる部分を設けてもよい。
（２）実施例１及び３では、第２下降流路は、上流側から下流側に向けて流路面積を徐々に小さくしたが、段階的に小さくしてもよい。また、第２下降流路の中間部で流路面積が大きくなる部分を設けてもよい。
（３）実施例１〜３では、小便器用排水トラップが水平断面視の形状を円形状を基本として形成されているが、角形状等の非円形状であってもよい。この場合、小便器用排水トラップを収納する部分（収納容器等）は、その形状に合わせた形状にするとよい。
（４）実施例１〜３では、椀型のトラップ形状であったが、他の形状であってもよい。
【符号の説明】
【００７０】
１…非水洗式小便器
２…便鉢部
１０、３０、５０…（小便器用）排水トラップ
１１、３１…流入口
１２、３２、５２…第１下降流路
１３、３３、５３…上昇流路
１４、３４、５４…第２下降流路
１５、３５、５５…流出口
【図１】
0005717482.tif 000002
【図２】
0005717482.tif 000003
【図３】
0005717482.tif 000004
【図４】
0005717482.tif 000005
【図５】
0005717482.tif 000006
【図６】
0005717482.tif 000007
【図７】
0005717482.tif 000008